(57)【要約】【課題】  １工程にて複列地中連続壁施工を行い、且つ湾曲地中連続壁の効率的施工を可能とする。【解決手段】  複数のカッターポストを掘削方向並列に配置し、夫々のカッターポストに掘削ビット付無端チェーンを取付けと共に夫々の無端チェーンが個別に駆動制御される構成とすることを特徴とする。【選択図】  図１
2006312860.tif 000002
【特許請求の範囲】
【請求項１】
走行台車上にカッターポストが旋回可能に設けられたブームを有する無端チェーンカッター方式の横掘掘削装置において、複数のカッターポストを掘削方向並列に配置し、夫々のカッターポストに掘削ビット付無端チェーンを取付ける構成としたことを特徴とする複列地中連続壁掘削装置。
【請求項２】
上記夫々のカッターポストに取付けられた掘削ビット付無端チェーンが個別に駆動制御される構成としたことを特徴とする請求項１の複列地中連続壁掘削装置。
【発明の詳細な説明】
【技術分野】
【０００１】  本発明は、同時に２列以上の複列連続壁を構築する無端チェーンカッター方式の横掘掘削装置に関する。
【背景技術】
【０００２】  滞水層を有する地盤や軟弱地盤の地中に上下水道管やガス管等を、地盤を開削して敷設する場合、両側面に崩壊防止用のソイルセメント等の地中連続壁をまず造成することが行われている。【０００３】  この地中連続壁を施工する掘削装置は、図３に示したように、走行台車であるパワーショベル等の油圧作業機本体１のブーム１５の先端に連結具を介し着脱可能に、無端チェーンカッターを搭載したカッターポスト２が１基装着されている。【０００４】  このような、従来の無端チェーンカッター方式の横掘掘削装置施工では１列掘削方式のため、列間隔の狭い場合やクローラ走行可能幅が狭い場合の複列の連続壁施工において、図３−２に示したように、２列目からの施工の際、施工装置自身の大きさから既施工溝壁をクローラが踏みつけることになる。そのため第１列の施工後、施工箇所に鉄板等の支持板を敷くか、ある程度の硬化を待って、第１列の上を施工装置が通過しながら第２列目以降の施工を行う必要があり手間や時間がかかっていた。【０００５】  また、複列連続壁を湾曲させる必要があり、その曲率半径を小さくしたいとき、内周側と外周側とでブームを取り替えるか、ブーム長を変えることのできる機構を有する伸縮ブームを必要としていた（特許文献１参照）。
【特許文献１】  特開平０６−１５８６６３
【発明の開示】
【発明が解決しようとする課題】
【０００６】  上記の問題を解決し、１工程にて複列掘削を行うことができ、且つ曲率半径の小さな湾曲地中連続壁施工を効率的に施工できる装置を提供する。
【課題を解決するための手段】
【０００７】  走行台車上にカッターポストが旋回可能に設けられたブームを有する無端チェーンカッター方式の横掘掘削装置において、複数のカッターポストを掘削方向並列に配置し、夫々のカッターポストに掘削ビット付無端チェーンを取付けると共に夫々の無端チェーンが個別に駆動制御される構成とする。
【発明の効果】
【０００８】  同時に複数の地中壁造成ができるので施工能率が高く、更にクローラ走行可能幅が狭い場合でも１列目の硬化を待つ必要がなく効率的に施工ができる。【０００９】  複列のチェーンの掘削速度を夫々個別に変速制御することにより、夫々のチェーンの掘削速度に差をつけられるので、スムースなアール施工（湾曲施工）が可能となる。【００１０】  更に、内周側のクローラを止め外周側のクローラを前進させることにより、内周側掘削部の先端部を中心として外周側が回転するので、曲率半径が極端に小さいアール施工が可能となる。
【発明を実施するための最良の形態】
【００１１】  以下、図１乃至図２を参照し、本発明の複列地中連続壁掘削装置の実施形態について詳細に説明する。
尚、以下の説明においては、前述した従来技術を含めて同一部分には同一の参照符号を用いて重複した説明を省略する。【００１２】  図１は本発明を実施するに用いる複列地中連続壁掘削装置の一実施形態を示すもので、パワーショベル等の油圧作業機本体１のブーム１５にキャッチホーク１４及びホルダ１２を介し、２列のカッターポスト２ａ、２ｂが取付けられており、夫々のカッターポスト２ａ、２ｂは昇降シリンダ９、９、・・にて上下動し、夫々のカッターポスト２ａ、２ｂに掘削ビット３、・・・付無端チェーン４ａ、４ｂが取付けられ、また夫々の無端チェーン４ａ、４ｂが個別に制御駆動されるように構成されている。【００１３】  そして、前記夫々のカッターポスト２ａ、２ｂ上端の駆動用スプロケット６、６は同軸に取付けられている夫々の油圧モータ５ａ、５ｂにて回転駆動し、夫々のカッターポスト２ａ、２ｂ下端には従動スプロケット７、７が軸支されている。【００１４】  また、前記夫々のカッターポスト２ａ、２ｂ内にはセメントミルク等の地盤改良薬液を上端の夫々の駆動用スプロケット６、６付近に設けられた供給口（図示せず）から下端の夫々の従動スプロケット７、７付近に設けられた吐出口（図示せず）に連通する薬液管路となる注入管が設けられており、随時薬液を地中に吐出し得るようになっている。【００１５】  尚、姿勢制御機構としては、ブーム１５とキャッチホーク１４とがローリングシリンダ１０により回動自在に連結されており、それによってカッタホスト２のローリングを調整して垂直に保てる構成になっており、キャッチホーク１４とカッタポストホルダ１２とは連結軸１６を介し、掘削角度調整シリンダ１１によりカッターポスト２の前後方向の角度調整が行える構成になっている。
【実施例】
【００１６】  走行台車１上に２列のカッターポスト２ａ、２ｂが旋回可能に設けられたブーム１５を有し、夫々のカッターポスト２ａ、２ｂに個別制御駆動の掘削ビット付無端チェーン４ａ、４ｂを有する２列地中連続壁掘削装置１のカッターポスト２ａ、２ｂを昇降シリンダ９、・・・にて発進位置に接地させ、ローリングシリンダ１０によりカッターポスト２ａ、２ｂの左右方向（ローリング）の垂直調整を行うと共に、掘削角度調整シリンダ１１によりカッターポスト２ａ、２ｂの前後方向の角度調整を行った後、油圧モータ５ａ、５ｂを起動し、駆動スプロケット６，６を介し、チェーン４ａ、４ｂを回動すると共に昇降シリンダ９、・・・にてカッターポスト２ａ、２ｂを降下させながら掘削を開始する。【００１７】  掘削深度が所定位置まで達した段階で、カッターポスト２ａ、２ｂの降下を止め、図示しないが地上の余剰液リサイクルプラント（例：特開２００１−２７１３３８記載の装置）からセメントミルク等の地盤改良薬液を上端の駆動用スプロケット６、６付近に設けられた薬液供給口（図示せず）を通して送り込み、下端の従動スプロケット７、７付近に設けた薬液吐出口（図示せず）から吐出させつつ、クローラ８ａ、８ｂを到達位置に向けて前進させる。ここで発生する余剰混合土はプラントに回収し、余剰混合土中の地盤改良薬液等は回収使用される。【００１８】  こうして施工を続け、湾曲の必要な位置に達したときは、クローラ８ａ、８ｂを湾曲に沿って進めると共に、内側チェーン４ｂの回動を外側チェーン４ａの回動より適宜遅速するか、外側チェーン４ａの回動を内側チェーン４ｂの回動より適宜速めて掘削を行い、直線部に戻った段階で内外チェーン４ｂ、４ａの速度を同速に戻す。【００１９】  尚、内側の曲率半径が極端に小さい場合は、内側クローラ８ｂ及び油圧モータ５ｂを停止させて内側チェーン４ｂを止め、外側クローラ８ａのみを前進させることにより、図２の点Ｐを中心として外側に円弧を描かせることができる。これに対し、従来のカッタポストが１個の場合は、ブーム１５の旋回機能によって旋回させても、また、外側クローラ８’ａのみを前進させたとしても内外クローラ８’ａ、８’ｂ間の重心点付近を中心として回転することなり、特許文献１の方法でないと曲率半径の小さな溝壁の施工はできない。【００２０】  このように掘削を続け、掘削溝壁が到達位置に達した段階で、薬液の供給を止め、カッターポストを昇降シリンダにて地上に回収した後、油圧モータを停止する。【００２１】  この方法により湾曲部を含む２列連続壁が一工程で効率的に造成される。そして、地盤改良薬液混合の連続壁が硬化完了した後、ショベルカー等で内部を開削して管埋設等を行う。
【図面の簡単な説明】
【００２２】
【図１】本発明における複列地中連続壁掘削装置の一実施形態を示す正面図（１−１）、側面図（１−２）、平面図（１−３）。
【図２】本発明の方法による湾曲並列溝壁例の平面図。
【図３】従来法での複列溝壁構築平面図（（３−１）１列目、（３−２）２列目）。
【符号の説明】
【００２３】  １、１’  作業機本体
２、２ａ、２ｂ  カッターポスト
３  掘削ビット
４ａ、４ｂ  チェーン
５ａ、５ｂ  油圧モータ
６  駆動スプロケット
７  従動スプロケット
８ａ、８ｂ、８’  クローラ
９  昇降シリンダ
１０  ローリングシリンダ
１１  掘削角度調整シリンダ
１２  ホルダ
１３  本体カバー
１４  キャッキホーク
１５  ブーム
１６  連結軸
【図１】
2006312860.tif 000003
【図２】
2006312860.tif 000004
【図３】
2006312860.tif 000005